(57)【要約】【課題】  片端光コネクタ付き光ファイバ心線の線種に拘わらず、準備するモジュール筐体は単一種でよい光キャビネットを得る。【解決手段】  キャビネット筐体１１内に組み付ける光モジュール４３ａ〜４３ｆは、テープ状光ファイバ心線３１Ａを分岐した光ファイバ心線３ａにコネクタが取り付けられた片端光コネクタ付き光ファイバ心線３１を収容したテープ心線型光モジュール４３ａ〜４３ｆと、単心の光ファイバ心線３１Ｂｂにコネクタが取り付けられた片端光コネクタ付き光ファイバ心線３１を収容した単心線型光モジュール４３ａ〜４３ｆとを収納可能に構成している。【選択図】        図３
2008096668.tif 000002
【特許請求の範囲】
【請求項１】
導入側光ケーブルの光ファイバ心線と片端光コネクタ付き光ファイバ心線の他端側とを接続する融着接続部と、前記片端光コネクタ付き光ファイバ心線の光コネクタと導出側光ケーブルの光ファイバ心線の光コネクタとをアダプタを介して接続可能にする光モジュールと、を備えた光キャビネットであって、
前記光モジュールは、テープ状光ファイバ心線を分岐した光ファイバ心線にコネクタが取り付けられた片端光コネクタ付き光ファイバ心線を収容したテープ心線型光モジュールと、単心の光ファイバ心線にコネクタが取り付けられた片端光コネクタ付き光ファイバ心線を収容した単心線型光モジュールとが収納可能に構成されていることを特徴とする光キャビネット。
【請求項２】
前記テープ心線型光モジュールと前記単心線型光モジュールとは同一形状のモジュール筐体を用いていることを特徴とする請求項１記載の光キャビネット。
【請求項３】
前記光モジュールには、内部に前記片端光コネクタ付き光ファイバ心線を巻き付けた際に最小の巻き径を確保できる円筒状の余長収容ガイド部が形成されると共に、前記余長収容ガイド部には、前記片端光コネクタ付き光ファイバ心線を横断可能にする切り欠きが形成されていることを特徴とする請求項２に記載の光キャビネット。
【請求項４】
前記光モジュールが取り付けられるキャビネット筐体のベース板には、該ベース板の延在方向に沿って複数個の前記光モジュールが積層配置されると共に、積層した複数個の光モジュールは、前記ベース板と平行にキャビネット筐体内に設けられた支持軸によって、前記ベース板に直交する方向に回動自在に支持されていることを特徴とする請求項１乃至３のいずれか１項に記載の光キャビネット。
【発明の詳細な説明】
【技術分野】
【０００１】
本発明は、建屋内に設置されて、外部から建屋内に引き込まれる光ケーブルと建屋内に敷設されている光ケーブルとの接続や切り分け等に使用される光キャビネットに関する。
【背景技術】
【０００２】
これまで、マンションや商業ビルなどの建屋内に設置されて、外部から建屋内に引き込まれる光ケーブルと建屋内に敷設されている光ケーブルとの接続や切り分け等に使用される光キャビネットとして、キャビネット筐体内に、導入側光ケーブルの光ファイバ心線と片端光コネクタ付き光ファイバ心線の他端側とを接続する融着接続部と、前記片端光コネクタ付き光ファイバ心線の光コネクタと導出側光ケーブルの光ファイバ心線の光コネクタとをアダプタを介して接続可能にする光モジュールと、を備えた光キャビネットが各種提案されている（例えば、特許文献１参照）。
【０００３】
【特許文献１】特開２００１−１９４５３６号公報
【発明の開示】
【発明が解決しようとする課題】
【０００４】
ところで、このような光キャビネットを設計する際には、必要最小限に小型化することが、重要課題になっている。
【０００５】
更に、光キャビネットを既存の限られた設置スペースに設置する場合には、外部から建屋内の設置スペースに引き込まれる光ケーブルの導入方向、設置スペースから建屋内に敷設する光ケーブルの導出方向に応じて、光キャビネットへの光ケーブルの導出入位置を変更する柔軟な対応が要求されることもある。
【０００６】
また、光モジュールに収容される片端光コネクタ付き光ファイバ心線には、テープ状光ファイバ心線を分岐した光ファイバ心線にコネクタを取り付けたものと、単心の光ファイバ心線にコネクタを取り付けたものとがあり、いずれの光ファイバ心線が使用されるかによって、光モジュールの筐体内に装備すべき心線支持構造に差異が生じる。
【０００７】
そこで、従来では、予め、所定数の融着接続部と光モジュールとを収容するキャビネット筐体として、光ケーブルの導出入位置が異なる数種のキャビネット筐体を準備し、さらに、各キャビネット筐体に組み合わせる光モジュールとして、テープ状光ファイバ心線を収容するためのテープ心線用のモジュール筐体と、単心の光ファイバ心線を収容するための単心線用のモジュール筐体とを個別に準備しておいて、現場での要求に柔軟に対応するようにしていた。
【０００８】
しかし、上記のような対応では、キャビネット筐体やモジュール筐体の種類の増加によって、製造コストが増大するだけでなく、在庫等の管理が難しくなるという問題が生じた。
【０００９】
本発明の目的は、光モジュールに収容する片端光コネクタ付き光ファイバ心線が、テープ状光ファイバ心線であるか単心の光ファイバ心線であるかに拘わらず、準備するモジュール筐体は単一種でよく、よって、予め用意するモジュール筐体の種類を削減して、コストの軽減と、在庫等の管理を容易にすることができる光キャビネットを提供することである。
【課題を解決するための手段】
【００１０】
上記目的を達成するために、本発明に係る請求項１記載の光キャビネットは、導入側光ケーブルの光ファイバ心線と片端光コネクタ付き光ファイバ心線の他端側とを接続する融着接続部と、前記片端光コネクタ付き光ファイバ心線の光コネクタと導出側光ケーブルの光ファイバ心線の光コネクタとをアダプタを介して接続可能にする光モジュールと、を備えた光キャビネットであって、
前記光モジュールは、テープ状光ファイバ心線を分岐した光ファイバ心線にコネクタが取り付けられた片端光コネクタ付き光ファイバ心線を収容したテープ心線型光モジュールと、単心の光ファイバ心線にコネクタが取り付けられた片端光コネクタ付き光ファイバ心線を収容した単心線型光モジュールとが収納可能に構成されていることを特徴とする。
【００１１】
本発明に係る請求項２記載の光キャビネットは、請求項１に記載の光キャビネットにおいて、前記テープ心線型光モジュールと前記単心線型光モジュールとは同一形状のモジュール筐体を用いていることを特徴とする。
【００１２】
本発明に係る請求項３記載の光キャビネットは、請求項２に記載の光キャビネットにおいて、前記光モジュールには、内部に前記片端光コネクタ付き光ファイバ心線を巻き付けた際に最小の巻き径を確保できる円筒状の余長収容ガイド部が形成されると共に、前記余長収容ガイド部には、前記片端光コネクタ付き光ファイバ心線を横断可能にする切り欠きが形成されていることを特徴とする。
【００１３】
本発明に係る請求項４に記載の光キャビネットは、請求項１乃至請求項３のいずれかに記載の光キャビネットにおいて、前記光モジュールが取り付けられる前記キャビネット筐体のベース板には、該ベース板の延在方向に沿って複数個の前記光モジュールが積層配置されると共に、積層した複数個の光モジュールは、前記ベース板と平行にキャビネット筐体内に設けられた支持軸によって、前記ベース板に直交する方向に回動自在に支持されていることを特徴とする。
【発明の効果】
【００１４】
本発明の光キャビネットによれば、キャビネット筐体内に組み付けられる光モジュールは、テープ状光ファイバ心線を分岐した光ファイバ心線にコネクタが取り付けられた片端光コネクタ付き光ファイバ心線、又は単心の光ファイバ心線にコネクタが取り付けられた片端光コネクタ付き光ファイバ心線のいずれの光ファイバ心線も収容できる。
そのため、片端光コネクタ付き光ファイバ心線の線種に応じて、キャビネット筐体に組み付ける光モジュールを変更する必要がなく、準備するモジュール筐体は単一種でよく、予め用意するモジュール筐体の種類の削減により、コストの軽減と、在庫等の管理を容易にすることができる。
【発明を実施するための最良の形態】
【００１５】
以下、本発明に係る光キャビネットの好適な実施の形態について、図面を参照して詳細に説明する。
図１は本発明に係る光キャビネットの第１の実施の形態の分解斜視図、図２は図１に示した光キャビネットを構成する標準光キャビネットの分解斜視図、図３は図２に示した標準光キャビネットのベース枠体上に融着接続部や光モジュール収容部を組み付けた平面図、図４は図３のＡ−Ａ矢視図、図５は図３に示した光モジュール収容部に使用されるテープ心線型光モジュールの平面図、図６は図３に示した光モジュール収容部に使用される単心線型光モジューの平面図、図７は光モジュール収容部における各光モジュールの取り付け構造を示す拡大斜視図、図８は図４のＢ−Ｂ矢視図である。
【００１６】
本実施の形態の光キャビネット１は、マンションや会社等の建屋内に設置されて、外部から建屋内に引き込まれる光ケーブル（導入側光ケーブル）３と建屋内に敷設されている光ケーブル（導出側光ケーブル）５との接続や分岐等に使用されるもので、図１に示すように、標準のキャビネット筐体１１と、このキャビネット筐体１１の一側面に連結可能な第１の増設枠体１３と、キャビネット筐体１１及び第１の増設枠体１３の一側面に連結可能な第２の増設枠体１５で構成されている。
【００１７】
標準のキャビネット筐体１１は、単独で、或いは第１の増設枠体１３や第２の増設枠体１５が連結された形態で使用される。
キャビネット筐体１１は、金属板のプレス成形品で、図２に示すように、矩形の略平板状のベース板２１ａとこのベース板２１ａの４隅に立設された連結用支柱２１ｂとを具備して周囲の４側面とベース板２１ａに対向する面の周囲５面が開放した箱型のベース枠体２１と、このベース枠体２１の第１の側面２１ｃを覆う第１側壁板２３と、第１の側面２１ｃに対向するベース枠体２１の第２の側面２１ｄを覆う第２側壁板２５と、ベース枠体２１のベース板２１ａに対向する開放面とその両側を覆う蓋枠体２７とから構成されている。
【００１８】
蓋枠体２７は、ベース枠体２１のベース板２１ａに対向する開放面を覆う蓋板２７ａの両側に、ベース枠体２１の第３の側面２１ｅを覆う第３側壁板２７ｂと第４の側面２１ｆを覆う第４側壁板２７ｃとを一体形成したもので、横断面形状が略コ字状をなしている。
【００１９】
キャビネット筐体１１は、これらのベース枠体２１、第１側壁板２３、第２側壁板２５、蓋枠体２７をねじ等で連結することで、光ケーブル相互の接続部を内部に収容する函体になる。
キャビネット筐体１１の内部には、図３に示すように、導入側光ケーブル３の光ファイバ心線３ａと中継ケーブルとなる片端光コネクタ付き光ファイバ心線３１の他端側との融着接続を行う融着接続部３３と、片端光コネクタ付き光ファイバ心線３１の光コネクタ３１ａと導出側光ケーブル５の光ファイバ心線５ａに取り付けられた光コネクタ５ｂとの接続を行う光モジュール４３ａ〜４３ｆを収容する光モジュール収容部３５と、が組み付けられる。
【００２０】
図２に戻って、対向配置される第１側壁板２３及び第２側壁板２５には、導入側光ケーブル３又は導出側光ケーブル５が通過可能な少なくとも２つのケーブル挿通口２３ａ，２３ｂ，２５ａ，２５ｂが形成されている。
これらの側壁２３，２５は、ベース枠体２１の連結用支柱２１ｂの上に重なる両側縁部２３ｃ，２３ｄ，２５ｃ，２５ｄを連結用支柱２１ｂにねじ止めすることで、ベース枠体２１に固定される。
【００２１】
第１の増設枠体１３や第２の増設枠体１５も、標準のキャビネット筐体１１と同様の筐体構造になっている。即ち、第１の増設枠体１３や第２の増設枠体１５も、ベース枠体５１，５２と、これらのベース枠体５１，５２の一側面の開放側面を着脱可能に覆う第１側壁板５３，５４と、ベース枠体５１，５２の他側の開放側面を着脱可能に覆う第２側壁板５５，５６と、ベース枠体５１，５２のベース板５１ａ，５２ａに対向する開放面とその両側の対向側面を覆う蓋枠体５７，５８とを連結することで、収容空間を画成する函体になる。
【００２２】
また、増設枠体１３，１５においても、対向する第１側壁板５３，５４と、第２側壁板５５，５６には、標準のキャビネット筐体１１と同様に、導入側光ケーブル３又は導出側光ケーブル５が通過可能な少なくとも２つのケーブル挿通口５３ａ，５３ｂ，５４ａ，５４ｂ，５５ａ，５５ｂ，５６ａ，５６ｂが形成されている。
これらの増設枠体１３，１５は、ケーブル挿通口がキャビネット筐体１１のケーブル挿通孔に整合するように形成されて、キャビネット筐体１１の第１側壁板２３又は第２側壁板２５に着脱自可能に連結される。
これにより、キャビネット筐体１１から導出入する光ケーブルは、連結されている増設枠体１３，１５を挿通可能になる。
【００２３】
融着接続部３３には、図３及び図４に示すように、光ファイバ心線相互の融着接続を行うための融着接続部収納トレイ３９ａ，３９ｂ，３９ｃが、ベース板２１ａに直交する方向に複数個（図示例では、３個）積層配備されている。
各融着接続部収納トレイ３９ａ，３９ｂ，３９ｃは、導入側光ケーブル３の光ファイバ心線３ａと片端光コネクタ付き光ファイバ心線３１の他端側との融着接続箇所を収容する容器である。
【００２４】
本実施の形態の場合、積層配備された複数個の融着接続部収納トレイ３９ａ，３９ｂ，３９ｃは、図４に矢印(イ)で示すように、ベース枠体２１に取り付けられたヒンジ金具４１によって、それぞれ独立に回動可能に取り付けられている。ヒンジ金具４１による回動動作により、図４に示すように、複数個の融着接続部収納トレイ３９ａ，３９ｂ，３９ｃはベース枠体２１の外部に引き出すことができ、各トレイでの融着作業が容易になる。
【００２５】
光モジュール収容部３５には、図３に示すように、複数（図示例では、６個）の光モジュール４３ａ〜４３ｆが装備されている。ベース板２１ａには、光モジュール４３ａ〜４３ｆに導出側光ケーブル５の光ファイバ心線５ａを許容曲げ半径で誘導する複数個の光ファイバガイド４５が装備されている。
【００２６】
それぞれの光モジュール４３ａ〜４３ｆは、図５及び図６に示すように、偏平な箱形に形成されたモジュール筐体４７の一端に、片端光コネクタ付き光ファイバ心線３１の光コネクタ３１ａと導出側光ケーブル５の光ファイバ心線５ａに取り付けられた光コネクタ５ｂとをコネクタ接続する複数個のアダプタ４９を装備している。
各モジュール筐体４７において、複数個のアダプタ４９は、図５及び図６に示すように、端面位置をずらして、階段状に配置されている。
【００２７】
各モジュール筐体４７内に収容される、片端光コネクタ付き光ファイバ心線３１としては、図５及び図６に示す２通りの線種が使われる。
図５に示した片端光コネクタ付き光ファイバ心線３１は、テープ状光ファイバ心線３１Ａで、そのテープ状光ファイバ心線３１Ａを分岐した光ファイバ心線３１Ａｂにコネクタ３１ａが取り付けられている。一方、図６に示した片端光コネクタ付き光ファイバ心線３１は、複数本の単心の光ファイバ心線３１Ｂで、各単心の光ファイバ心線３１Ｂｂの端部にコネクタ３１ａが取り付けられている。したがって、図５に示した光モジュール４３ａ〜４３ｆは、「テープ心線型光モジュール」と定義することができ、図６に示した光モジュール４３ａ〜４３ｆは、「単心線型光モジュール」とすることができる。
【００２８】
本実施形態の場合、各光モジュール４３ａ〜４３ｆは、共通形状のモジュール筐体４７を用いたものである。
各モジュール筐体４７は、その内部に、テープ状光ファイバ心線３１Ａの光ファイバ心線３１Ａｂを巻き付けできる円筒状の余長収容ガイド部６１が形成されている。この余長収容ガイド部６１は、テープ状光ファイバ心線３１Ａの各光ファイバ心線３１Ａｂがコネクタ付けされた時に生じる余長差を吸収するため、筐体４７内において光ファイバ心線３１Ａｂを巻き付けて収容する。一方、この余長収容ガイド部６１には、図６に示すように、単心の光ファイバ心線３１Ｂｂを横断可能にする位置に２箇所の切り欠き６１ａ，６１ｂが形成されている。つまり、単心の光ファイバ心線３１Ｂはコネクタ付けした時に生じる余長差が各光ファイバ心線３１Ｂｂ毎に吸収できるため、円筒状の余長収容ガイド部６１を不要にする。そのため、これらの切り欠き６１ａ，６１ｂは筐体４７内で各光ファイバ心線３１Ｂｂを直線状に収容可能にする。そして、このような切り欠き６１ａ，６１ｂを装備したことで、モジュール筐体４７は、テープ状光ファイバ心線３１Ａの光ファイバ心線３１Ａｂと、単心の光ファイバ心線３１Ｂの各光ファイバ心線Ｂｂとのいずれを収容することも可能になっている。
【００２９】
即ち、各光モジュール４３ａ〜４３ｆは、図５に示すようにモジュール筐体４７内にテープ状光ファイバ心線３１Ａを収容したときには既述したようにテープ心線型光モジュールとして機能し、また、図６に示すようにモジュール筐体４７内に単心の光ファイバ心線３１Ｂを収容した時には既述したように単心線型光モジュールとして機能する。
【００３０】
本実施の形態の場合、光モジュール収容部３５を構成している複数の光モジュール４３ａ〜４３ｆは、図３及び図４に示すように、キャビネット筐体１１のベース板２１ａの延在方向（図４の矢印(ロ)方向）に沿って積層配置されている。積層した複数個の光モジュール４３ａ〜４３ｆは、図７に示すように、モジュール筐体４７の後端面に装備された矩形断面の凹部４８を、矩形断面の支持軸６３に係合させることで、図８に矢印(ハ)で示すように、支持軸６３を支点に回動可能になっている。
【００３１】
支持軸６３は、図７及び図８に示すように、ベース枠体２１に固定された一対のブラケット６５によってベース板２１ａに平行に支持されている。支持軸６３の両端は、図７に示すように、例えば止め輪６７により、回転自在にブラケット６５に支持されている。
これにより、光モジュール収容部３５を構成している複数の光モジュール４３ａ〜４３ｆは、図８に示すように、ベース板２１ａに直交する方向（矢印(ハ)方向）に回動自在に支持されている。
【００３２】
以上のように、融着接続部３３や、光モジュール収容部３５や光ファイバガイド４５が取り付けられるベース板２１ａには、これらの各部品３３，３５，４５の取付位置や向きが、導入側光ケーブル３及び導出側光ケーブル５のキャビネット筐体１１への導入位置及び導入方向に合わせて変更できるように、これらの各部品３３，３５，４５の取付孔が数通りに装備されている。
【００３３】
本実施の形態の場合、図１に示したように、キャビネット筐体１１に連結される第１の増設枠体１３は、キャビネット筐体１１に装備したのと同様の光モジュール収容部３５が、ベース枠体５１に取り付けられている。
従って、光ケーブルの増設等で、キャビネット筐体１１内では接続仕切れない場合、あるいは、作業する通信事業者が異なるために責任分界点を作るために、追加分は、第１の増設枠体１３内の光モジュール収容部３５に収容させるようにしても良い。
【００３４】
また、キャビネット筐体１１に連結される第２の増設枠体１５は、内部に光モジュール収容部３５等を有しておらず、キャビネット筐体１１に導出入する光ケーブルの余長収容部、あるいは保護部等として利用される。
【００３５】
以上に説明した光キャビネット１において、図３に示したケーブル接続の実施例では、導入側光ケーブル３は、第２側壁板２５の一端側のケーブル挿通口２５ａからキャビネット筐体１１内に導入され、また、導出側光ケーブル５は第２側壁板２５の他端側のケーブル挿通口２５ｂからキャビネット筐体１１の外へ導出している。そのため、図示のように、導入側光ケーブル３が融着接続されるベース板２１ａ上の第２側壁板２５寄りの位置に、融着接続部３３が配置され、第１側壁板２３寄りの位置に光モジュール収容部３５が配置されている。
【００３６】
以上に説明した光キャビネット１によれば、キャビネット筐体１１内に組み付けられる光モジュール収容部３５は、図５に示した、テープ状光ファイバ心線３１Ａを分岐した光ファイバ心線３１Ａｂに光コネクタ３１ａが取り付けられた片端光コネクタ付き光ファイバ心線を収容し配線したテープ心線型光モジュール、又は図６に示した、単心の光ファイバ心線３１Ｂの各光ファイバ心線Ｂｂに光コネクタ３１ａが取り付けられた片端光コネクタ付き光ファイバ心線を収容し配線した単心線型光モジュールのいずれの光ファイバモジュールも収納できる。
そのため、片端光コネクタ付き光ファイバ心線３１の線種に応じて、キャビネット筐体１１に組み付ける光モジュール４３ａ〜４３ｆを変更する必要がなく、準備するモジュール筐体は単一種でよく、予め用意するモジュール筐体の種類の削減により、コストの軽減と、在庫等の管理を容易にすることができる。
【００３７】
更に上記実施の形態の光キャビネット１における光モジュール４３ａ〜４３ｆでは、テープ状光ファイバ心線３１Ａの光ファイバ心線３１Ａｂを巻き付け収容する円筒状の余長収容ガイド部６１が、２箇所の切り欠き６１ａ，６１ｂにより、単心の光ファイバ心線３１Ｂｂを横断可能にしている。そのため、単心の光ファイバ心線３１Ｂｂをモジュール内に配線する際に、円筒状の余長収容ガイド部６１が配線経路上の障害物とならない。逆に、テープ状光ファイバ心線３１Ａ用の円筒状の余長収容ガイド部６１の一部（切り欠き６１ａ，６１ｂの端縁）を、単心の光ファイバ心線３１Ｂｂを配線する際の挿通ガイドとして有効活用することができる。
即ち、モジュール筐体４７内の限られたスペースを、テープ状光ファイバ心線３１Ａ用の配線スペースと単心の光ファイバ心線３１Ｂｂ用の配線スペースとに兼用でき、モジュール筐体４７を小型化することができ、よって、光キャビネット１の小型化を実現できる。
【００３８】
更に、本実施の形態の光キャビネット１によれば、キャビネット筐体１１に組み付けられる複数個の光モジュール４３ａ〜４３ｆは、積層状態で実装されることにより、キャビネット筐体１１の小型化に寄与し、また、キャビネット筐体１１のベース板２１ａに回動自在に支持されたことで、ベース板２１ａから離反するように回動させて、導出側光ケーブル５の光モジュール４３ａ〜４３ｆへのコネクタ接続が容易になり、キャビネット設置時の接続作業性を向上させることができる。
【図面の簡単な説明】
【００３９】
【図１】本発明に係る光キャビネットの第１の実施の形態の分解斜視図である。
【図２】図１に示した標準光キャビネットのキャビネット筐体の分解斜視図である。
【図３】融着接続部収容部や光モジュール収容部を組み付けたキャビネット筐体の平面図である。
【図４】図３のＡ−Ａ矢視図である。
【図５】図３に示した光モジュールに、テープ状光ファイバ心線による片端光コネクタ付き光ファイバ心線を収容した状態の説明図である。
【図６】図３に示した光モジュールに、単心の光ファイバ心線による片端光コネクタ付き光ファイバ心線を収容した状態の説明図である。
【図７】図３に示した光モジュールの取り付け構造を示す拡大斜視図である。
【図８】図４のＢ−Ｂ矢視図である。
【符号の説明】
【００４０】
１  光キャビネット
３  導入側光ケーブル
３ａ  光ファイバ心線
５  導出側光ケーブル
５ａ  光ファイバ心線
５ｂ  光コネクタ
１１  キャビネット筐体
１３  第１の増設枠体
１５  第２の増設枠体
２１  ベース枠体
２１ａ  ベース板
２３  第１側壁板
２５  第２側壁板
２７  蓋枠体
３１，３１Ａ，３１Ｂ  片端光コネクタ付き光ファイバ心線
３３  融着接続部
３５  光モジュール収容部
３９ａ，３９ｂ，３９ｃ  融着接続部収納トレイ
４１  ヒンジ金具
４３ａ〜４３ｆ  光モジュール
４５  光ファイバガイド
４７  モジュール筐体
４８  凹部
４９  アダプタ
６３  支持軸
６１  余長収容ガイド部
６１ａ，６１ｂ  切り欠き
６５  ブラケット
６７  止め輪
【図１】
2008096668.tif 000003
【図２】
2008096668.tif 000004
【図３】
2008096668.tif 000005
【図４】
2008096668.tif 000006
【図５】
2008096668.tif 000007
【図６】
2008096668.tif 000008
【図７】
2008096668.tif 000009
【図８】
2008096668.tif 000010